(57)【特許請求の範囲】
【請求項１】
次の構成要件（Ａ01）〜（Ａ05）を備えた自動原稿搬送装置、
（Ａ01）読取用の原稿が載置される原稿載置台、
（Ａ02）前記原稿載置台に支持された原稿搬送方向に垂直な方向である原稿幅方向に移動可能で且つ原稿の幅方向の端部の位置を規制する原稿ガイド、
（Ａ03）前記原稿ガイドの位置に対応した複数の定型サイズの原稿の幅を表示する原稿幅表示部、
（Ａ04）前記原稿幅表示部に表示された複数の定型サイズの原稿幅の中のどの原稿幅の位置に前記原稿ガイドが移動しているかを指示する原稿ガイド位置指示部材、
（Ａ05）前記原稿ガイド位置指示部材により指示された前記原稿幅表示部の原稿幅の指示位置が隣接して表示された複数種の原稿幅の中のいずれであるか判別し難い場合に、前記判別を容易に行うことができるように表示される隣接原稿幅判別用表示部。
【請求項２】
次の構成要件（Ａ06），（Ａ07）を備えた請求項１記載の自動原稿搬送装置、
（Ａ06）前記原稿ガイドの原稿幅方向の位置を検出する原稿ガイド位置センサ、
（Ａ07）前記原稿ガイド位置センサの検出信号に応じて前記隣接原稿幅判別用表示部の表示を制御する判別用表示部制御手段。
【請求項３】
次の構成要件（Ａ08），（Ａ09）を備えた請求項１または２記載の自動原稿搬送装置、
（Ａ08）前記原稿幅表示部の原稿幅の指示位置が隣接して表示された２種の原稿幅の中のいずれであるか判別し難い組み合わせが複数組有る場合に、前記複数の各組の中２種の原稿幅が第1グループと、第２グループとに区別して表示された前記原稿幅表示部、
（Ａ09）前記原稿ガイド位置指示部材により指示された前記原稿幅表示部の原稿幅の指示位置が前記第１グループまたは第２グループのいずれであるかを表示する前記隣接原稿幅判別用表示部。
【請求項４】
次の構成要件（Ａ010）を備えた請求項３記載の自動原稿搬送装置、
（Ａ010）前記第1グループの原稿幅および前記第２グループの原稿幅が２列に区別して表示された前記原稿幅表示部。
【請求項５】
次の構成要件（Ａ011）を備えた請求項３記載の自動原稿搬送装置、
（Ａ011）前記第1グループの原稿幅および前記第２グループの原稿幅が２色に区別して表示された前記原稿幅表示部。
【請求項６】
次の構成要件（Ａ012），（Ａ013）を備えた請求項１または２記載の自動原稿搬送装置、
（Ａ012）前記原稿幅表示部の原稿幅の指示位置が隣接して表示されたｎ（ｎは３以上の正数）種の原稿幅の中のいずれであるか判別し難い組み合わせが複数組有る場合に、前記複数の各組の原稿幅を第1〜第ｎグループに分類して、前記各原稿幅が前記各グループ毎に区別して表示された前記原稿幅表示部、
（Ａ013）前記原稿ガイド位置指示部材により指示された前記原稿幅表示部の原稿幅の指示位置が前記第１〜第ｎグループのいずれであるかを表示する前記隣接原稿幅判別用表示部。
【請求項７】
次の構成要件（Ａ014）を備えた請求項１ないし６のいずれか記載の自動原稿搬送装置、
（Ａ014）発光部材により表示する前記隣接原稿幅判別用表示部。
【発明の詳細な説明】
【技術分野】
【０００１】
本発明は、カット紙を使用するプリンタ、複写機等の画像形成装置の自動原稿搬送装置やファクシミリの自動原稿搬送装置に関し、特に、自動原稿搬送装置内を搬送される原稿のサイズを作業者に告知する表示部を有する自動原稿搬送装置に関する。
【背景技術】
【０００２】
画像形成装置やファクシミリには、原稿を載置する原稿載置台が設けられた自動原稿搬送装置を備えたものがある。前記原稿載置台には、原稿幅方向にスライド可能な原稿ガイドが支持されており、前記原稿ガイドは、前記原稿載置台に載置される各サイズの原稿の幅方向の端部を原稿搬送方向にガイドする。前記原稿ガイドの先端部の近傍には、原稿のサイズを示した原稿サイズ表示部（ラベル等）が配置されている。作業者が前記原稿載置台に載置された原稿のサイズを判別する場合、前記原稿ガイドの先端部と原稿サイズ表示部とを見て、前記原稿のサイズを判別することが従来行われている。
前記原稿には、ＡＢ系（ＪＩＳ表示）のグループに属する原稿サイズ（例えばＡ４、Ｂ５）やインチ系（インチ表示）のグループに属する原稿サイズ（例えば8.5″、11″）等の種々の原稿サイズがある。前記異なるグループに属する原稿サイズの中には、サイズ差が小さい原稿がある。このため、前記原稿サイズ表示部に異なるグループに属する原稿サイズが表示されている場合、前記原稿載置台に載置された原稿のサイズを、作業者が正確に判別できず誤判別することがある。前記原稿サイズの誤判別を防止する方法として、下記の従来技術（Ｊ01）〜（Ｊ03）が公知である。
【０００３】
（Ｊ01）前記原稿サイズ表示部に表示する原稿サイズを限定（例えばＡＢ系の原稿サイズのみ表示）する方法。
（Ｊ02）特許文献１（実開平１−１６０４３７号公報）記載の技術
特許文献１記載には、サイズ表示部（５）の左側と右側とで、原稿サイズを分けて表示（例えば、左側にＡＢ系の原稿サイズのみを表示し、右側にインチ系の原稿サイズのみを表示）する方法が記載されている。
（Ｊ03）特許文献２（特開２００３−６３６６４号公報）記載の技術
特許文献２には、原稿載置台（２０１）に設けた１枚の原稿サイズ表示部（８００）に原稿（ｄ）の縦と横のサイズを集中して表示する方法が記載されている。
【特許文献１】実開平１−１６０４３７号公報
【特許文献２】特開２００３−６３６６４号公報
【発明の開示】
【発明が解決しようとする課題】
【０００４】
（従来技術（Ｊ01）原稿サイズ表示部に表示する原稿サイズを限定する方法の問題点）
原稿サイズ表示部に表示する原稿サイズを限定する方法では、判別可能な原稿サイズが限定されて、使用できる原稿に制約（例えばＡＢ系の原稿サイズのみ使用可能）を受けるため、利便性が低いという問題がある。
（従来技術（Ｊ02）および（Ｊ03）の問題点）
従来技術（Ｊ02）および（Ｊ03）では、ＡＢ系の原稿サイズとインチ系の原稿サイズとでサイズ差が小さい原稿サイズ（例えば、ＡＢ系のＡ４サイズとインチ系の8.5″サイズ）の場合、作業者は原稿載置台に載置された原稿のサイズを容易に判別することが困難である。
本発明は前記事情に鑑み、次の記載内容（Ｏ01）を技術的課題とする。
（Ｏ01）原稿サイズを作業者が容易且つ正確に判別できる自動原稿搬送装置を提供すること。
【課題を解決するための手段】
【０００５】
次に、前記課題を解決するために案出した本発明を説明するが、本発明の構成要素には、後述の実施例の構成要素との対応を容易にするため、実施例の構成要素の符号をカッコで囲んだものを付記する。
なお、本発明を後述の実施例の符号と対応させて説明する理由は、本発明の理解を容易にするためであり、本発明の範囲を実施例に限定するためではない。
【０００６】
（本発明）
前記課題を解決するために本発明の自動原稿搬送装置（ＡＤＦ）は、次の構成要件（Ａ01）〜（Ａ05）を備えたことを特徴とする。
（Ａ01）読取用の原稿（Ｇｉ）が載置される原稿載置台（ＴＧ１）、
（Ａ02）前記原稿載置台（ＴＧ１）に支持された原稿搬送方向に垂直な方向である原稿幅方向に移動可能で且つ原稿（Ｇｉ）の幅方向の端部の位置を規制する原稿ガイド（１）、
（Ａ03）前記原稿ガイド（１）の位置に対応した複数の定型サイズの原稿（Ｇｉ）の幅を表示する原稿幅表示部（５,５′,５″）、
（Ａ04）前記原稿幅表示部（５,５′,５″）に表示された複数の定型サイズの原稿幅の中のどの原稿幅の位置に前記原稿ガイド（１）が移動しているかを指示する原稿ガイド位置指示部材（２ｅ）、
（Ａ05）前記原稿ガイド位置指示部材（２ｅ）により指示された前記原稿幅表示部（５,５′,５″）の原稿幅の指示位置が隣接して表示された複数種の原稿幅の中のいずれであるか判別し難い場合に、前記判別を容易に行うことができるように表示される隣接原稿幅判別用表示部（６,６′,６″）。
【０００７】
（本発明の作用）
前記構成要件（Ａ01）〜（Ａ05）を備えた本発明の自動原稿搬送装置（ＡＤＦ）の原稿載置台（ＴＧ１）には、読取用の原稿（Ｇｉ）が載置される。前記原稿載置台（ＴＧ１）に支持された原稿ガイド（１）は、原稿搬送方向に垂直な方向である原稿幅方向に移動して原稿（Ｇｉ）の幅方向の端部の位置を規制する。原稿幅表示部（５,５′,５″）は、前記原稿ガイド（１）の位置に対応した複数の定型サイズの原稿（Ｇｉ）の幅を表示する。原稿ガイド位置指示部材（２ｅ）は、前記原稿幅表示部（５,５′,５″）に表示された複数の定型サイズの原稿幅の中のどの原稿幅の位置に前記原稿ガイド（１）が移動しているかを指示する。
前記隣接原稿幅判別用表示部（６,６′,６″）は、前記原稿ガイド位置指示部材（２ｅ）により指示された前記原稿幅表示部（５,５′,５″）の原稿幅の指示位置が隣接して表示された複数種の原稿幅の中のいずれであるか判別し難い場合に、前記判別を容易に行うことができるように表示される。
したがって、自動原稿搬送装置（ＡＤＦ）の使用者は、原稿幅の指示位置が隣接して表示された複数種の原稿幅の中のいずれであるかを容易に判別することができる。
【０００８】
（本発明の形態１）
本発明の形態１の自動原稿搬送装置（ＡＤＦ）は、前記本発明において、次の構成要件（Ａ06）,（Ａ07）を備えたことを特徴とする。
（Ａ06）前記原稿ガイド（１）の原稿幅方向の位置を検出する原稿ガイド位置センサ（ＳＮ１〜ＳＮ３）、
（Ａ07）前記原稿ガイド位置センサ（ＳＮ１〜ＳＮ３）の検出信号に応じて前記隣接原稿幅判別用表示部（６,６′,６″）の表示を制御する判別用表示部制御手段（Ｃ１ｃ,Ｃ１ｃ′,Ｃ１ｃ″）。
【０００９】
（本発明の形態１の作用）
前記構成要件（Ａ06）,（Ａ07）を備えた本発明の形態１の自動原稿搬送装置（ＡＤＦ）では、原稿ガイド位置センサ（ＳＮ１〜ＳＮ３）は、前記原稿ガイド（１）の原稿幅方向の位置を検出する。
判別用表示部制御手段（Ｃ１ｃ,Ｃ１ｃ′,Ｃ１ｃ″）は、前記原稿ガイド位置センサ（ＳＮ１〜ＳＮ３）の検出信号に応じて前記隣接原稿幅判別用表示部（６,６′,６″）の表示を制御する。
【００１０】
（本発明の形態２）
本発明の形態２の自動原稿搬送装置（ＡＤＦ）は、前記本発明または本発明の形態１において次の構成要件（Ａ08）,（Ａ09）を備えたことを特徴とする。
（Ａ08）前記原稿幅表示部（５′,５″）の原稿幅の指示位置が隣接して表示された２種の原稿幅の中のいずれであるか判別し難い組み合わせが複数組有る場合に、前記複数の各組の中２種の原稿幅が第1グループと、第２グループとに区別して表示された前記原稿幅表示部（５′,５″）、
（Ａ09）前記原稿ガイド位置指示部材（２ｅ）により指示された前記原稿幅表示部（５′,５″）の原稿幅の指示位置が前記第１グループまたは第２グループのいずれであるかを表示する前記隣接原稿幅判別用表示部（５′,５″）。
【００１１】
（本発明の形態２の作用）
前記構成要件（Ａ08）,（Ａ09）を備えた本発明の形態２の自動原稿搬送装置（ＡＤＦ）では、前記原稿幅表示部（５′,５″）の原稿幅の指示位置が隣接して表示された２種の原稿幅の中のいずれであるか判別し難い組み合わせが複数組有る場合に、前記複数の各組の２種の原稿幅が第1グループと第２グループとに区別して前記原稿幅表示部（５′,５″）に表示されている。
前記隣接原稿幅判別用表示部（６′,６″）は、前記原稿ガイド位置指示部材（２ｅ）により指示された前記原稿幅表示部（５′,５″）の原稿幅の指示位置が前記第１グループまたは第２グループのいずれであるかを表示する。この表示により、自動原稿搬送装置（ＡＤＦ）の使用者は、原稿幅の指示位置が隣接して表示された複数種の原稿幅の中のいずれであるかを容易に判別することができる。
【００１２】
（本発明の形態３）
本発明の形態３の自動原稿搬送装置（ＡＤＦ）は、前記本発明の形態２において、次の構成要件（Ａ010）を備えたことを特徴とする。
（Ａ010）前記第1グループの原稿幅および前記第２グループの原稿幅が２列に区別して表示された前記原稿幅表示部（６′）。
【００１３】
（本発明の形態３の作用）
前記構成要件（Ａ010）を備えた本発明の形態３の自動原稿搬送装置（ＡＤＦ）では、前記原稿幅表示部（６′）は、前記第1グループの原稿幅および前記第２グループの原稿幅が２列に区別して表示されている。このため、前記第１グループまたは第２グループのいずれであるかの判別が容易になる。
【００１４】
（本発明の形態４）
本発明の形態４の自動原稿搬送装置（ＡＤＦ）は、前記本発明の形態２において、次の構成要件（Ａ011）を備えたことを特徴とする。
（Ａ011）前記第1グループの原稿幅および前記第２グループの原稿幅が２色に区別して表示された前記原稿幅表示部（６″）。
【００１５】
（本発明の形態４の作用）
前記構成要件（Ａ011）を備えた本発明の形態４の自動原稿搬送装置（ＡＤＦ）では、前記原稿幅表示部（６″）は、前記第1グループの原稿幅および前記第２グループの原稿幅が２色に区別して表示されている。このため、前記第１グループまたは第２グループのいずれであるかの判別が容易になる。
【００１６】
（本発明の形態５）
本発明の形態５の自動原稿搬送装置（ＡＤＦ）は、前記本発明または本発明の形態１において次の構成要件（Ａ012）,（Ａ013）を備えたことを特徴とする。
（Ａ012）前記原稿幅表示部の原稿幅の指示位置が隣接して表示されたｎ（ｎは３以上の正数）種の原稿幅の中のいずれであるか判別し難い組み合わせが複数組有る場合に、前記複数の各組の原稿幅を第1〜第ｎグループに分類して、前記各原稿幅が前記各グループ毎に区別して表示された前記原稿幅表示部、
（Ａ013）前記原稿ガイド位置指示部材（２ｅ）により指示された前記原稿幅表示部の原稿幅の指示位置が前記第１〜第ｎグループのいずれであるかを表示する前記隣接原稿幅判別用表示部。
【００１７】
（本発明の形態５の作用）
前記構成要件（Ａ012）,（Ａ013）を備えた本発明の形態５の自動原稿搬送装置（ＡＤＦ）では、前記原稿幅表示部は、前記原稿幅表示部の原稿幅の指示位置が隣接して表示されたｎ（ｎは３以上の正数）種の原稿幅の中のいずれであるか判別し難い組み合わせが複数組有る場合に、前記複数の各組の原稿幅を第1〜第ｎグループに分類して、前記各原稿幅が前記各グループ毎に区別して表示されている。このように、前記原稿幅を前記第１〜第ｎグループに分類して表示することにより、前記原稿ガイド位置指示部材（２ｅ）が指示した原稿幅を容易に判別することが可能となる。
前記隣接原稿幅判別用表示部は、前記原稿ガイド位置指示部材（２ｅ）により指示された前記原稿幅表示部の原稿幅の指示位置が前記第１〜第ｎグループのいずれであるかを表示する。この表示により、自動原稿搬送装置（ＡＤＦ）の使用者は、原稿幅の指示位置が隣接して表示された複数種の原稿幅の中のいずれであるかを容易に判別することができる。
【００１８】
（本発明の形態６）
本発明の形態６の自動原稿搬送装置（ＡＤＦ）は、前記本発明または本発明の形態１ないし５のいずれかにおいて次の構成要件（Ａ014）を備えたことを特徴とする。
（Ａ014）発光部材により表示する前記隣接原稿幅判別用表示部（６,６′,６″）。
（本発明の形態６の作用）
前記構成要件（Ａ014）を備えた本発明の形態６の自動原稿搬送装置（ＡＤＦ）では、前記隣接原稿幅判別用表示部（６,６′,６″）は、発光部材により表示する。前記発光部材の点灯表示により、自動原稿搬送装置（ＡＤＦ）の使用者は、原稿幅の指示位置が隣接して表示された複数種の原稿幅の中のいずれであるかを容易に判別することができる。
【発明の効果】
【００１９】
前述の本発明の自動原稿搬送装置は、下記の効果（Ｅ01）を奏する。
（Ｅ01）原稿サイズを作業者が容易且つ正確に判別できる自動原稿搬送装置を提供することができる。
【発明を実施するための最良の形態】
【００２０】
次に図面を参照しながら、本発明の実施の形態の具体例（実施例）を説明するが、本発明は以下の実施例に限定されるものではない。
なお、以後の説明の理解を容易にするために、図面において、前後方向をＸ軸方向、左右方向をＹ軸方向、上下方向をＺ軸方向とし、矢印Ｘ，−Ｘ，Ｙ，−Ｙ，Ｚ，−Ｚで示す方向または示す側をそれぞれ、前方、後方、右方、左方、上方、下方、または、前側、後側、右側、左側、上側、下側とする。
また、図中、「○」の中に「・」が記載されたものは紙面の裏から表に向かう矢印を意味し、「○」の中に「×」が記載されたものは紙面の表から裏に向かう矢印を意味するものとする。
【実施例１】
【００２１】
図１は本発明の画像形成装置の説明図であり、図１Ａは実施例１の自動原稿搬送装置を備えた画像形成装置の斜視図、図１Ｂは実施例１の原稿サイズ表示部の拡大図である。
図２は本発明の原稿ガイドの斜視図である。
図３は本発明の原稿ガイドの説明図であり、図３Ａは原稿ガイドの側面断図、図３Ｂは原稿ガイドを上方から見た平面図である。
図１において、実施例１の画像形成装置Ｕは、自動原稿搬送装置としてのＡＤＦ（オートドキュメントフィーダ）と、画像読取り装置としてのＩＩＴ（イメージインプットターミナル）と、画像記録装置としてのＩＯＴ（イメージアウトプットターミナル）と、を有している。前記ＩＩＴの前端部には、ユーザが入力操作するＵＩ（ユーザインタフェース）が設けられている。前記ＩＯＴの下部には、画像記録用のシートを収容する複数の給紙トレイＴＲ１〜ＴＲ４が着脱可能に装着されており、前記ＩＯＴの上面には、前記給紙トレイＴＲ１〜ＴＲ４から給紙したシートに画像が記録されたシートを排出する排出トレイＴＲｈが設けられている。
前記ＡＤＦは、複写しようとする複数の原稿が重ねて載置される原稿給紙トレイ（原稿載置台）ＴＧ１を有している。前記原稿給紙トレイＴＧ１に載置された複数の各原稿は前記ＩＩＴの上面に設けられたプラテンガラス（図示せず）上の複写位置を順次通過して原稿排紙トレイＴＧ２に排出されるように構成されている。前記原稿給紙トレイＴＧ１の上面には、前後方向（Ｘ軸方向）に伸びる前側ガイド溝ＴＧ１ａ（図２参照）と後側ガイド溝ＴＧ１ｂとが形成されている。
【００２２】
図１〜図３において、前記原稿給紙トレイＴＧ１には、原稿ガイド１が支持されている。
図２、図３において、前記原稿ガイド１は、前記前側ガイド溝ＴＧ１ａに沿ってスライド可能に支持された前端ガイド部材２と、前記後側ガイド溝ＴＧ１ｂに沿ってスライド可能に支持された後端ガイド部材３と、を有している。前記前端ガイド部材２は、前記前側ガイド溝ＴＧ１ａを貫通するプレート状の前端ガイド部材本体２ａと、前記前端ガイド部材本体２ａの上端（Ｚ端）に支持され且つ前記原稿Ｇｉの一部が載置される原稿支持部２ｂと、前記原稿支持部２ｂの前端（Ｘ端）から上方に伸び且つ前記原稿Ｇｉの前端をガイドする前端ガイド部２ｃと、前記前端ガイド部材本体２ａから後側（−Ｘ側）に伸びる前端ラック部２ｄと、前記前端ガイド部２ｃの上端から左側（Ｙ側）に突出し且つ先端（左端）が尖った原稿サイズ指示部（原稿ガイド位置指示部材）２ｅと、を有している。
【００２３】
前記後端ガイド部材３は、前記後側ガイド溝ＴＧ１ｂを貫通するプレート状の後端ガイド部材本体３ａと、前記後端ガイド部材本体３ａの上端（Ｚ端）に支持され且つ前記原稿Ｇｉの一部が載置される原稿支持部３ｂと、前記原稿支持部３ｂの後端（−Ｘ端）から上方に伸び且つ前記原稿Ｇｉの後端をガイドする後端ガイド部３ｃと、前記後端ガイド部材本体３ａから前側（Ｘ側）に伸びる後端ラック部３ｄと、下端部に複数の凹部および凸部が形成された遮光部３ｅと、を有している。
前記遮光部３ｅの下方には、前記原稿支持部２ｂ，３ｂおよび原稿給紙トレイＴＧ１の上面に載置される原稿Ｇｉの原稿サイズを判別するための原稿ガイド位置センサＳＮ１〜ＳＮ３が前記原稿給紙トレイＴＧ１の内部に支持されている。
前記原稿ガイド１の中央部には、前記前端ラック部２ｄと後端ラック部３ｄとが噛合うピニオンギヤ４が上下軸回りに回転可能に支持されている。
【００２４】
前記前端ガイド部材２および後端ガイド部材３は、一方のガイド部材を他方のガイド部材に接近する方向にスライドさせた場合、前記ピニオンギヤ４が回転して他方のガイド部材が前記一方のガイド部材に接近する方向に自動的にスライドする。また、前記一方のガイド部材を他方のガイド部材から離れる方向にスライドさせた場合、前記ピニオンギヤ４が回転して前記他方のガイド部材が前記一方のガイド部材から離れる方向に自動的にスライドする。
図１Ｂにおいて、前記ＡＤＦの上面には、原稿幅表示判別用パネルＰが設けられている。前記原稿幅表示判別用パネルＰには、左側（−Ｙ側）部分に原稿幅表示部５が設けられ、右側（Ｙ側）部分に隣接原稿幅判別用表示部６が設けられている。前記原稿幅表示部５には、複数の定型サイズの原稿幅が表示（本発明ではＡＢ系のＡ５、Ｂ５、Ａ４、Ｂ４、Ａ３（第１グループ）の原稿サイズと、インチ系の8.5″、11″の原稿サイズおよびその他の原稿サイズとして中国で使用されている定型サイズ８Ｋ１６Ｋ（第２グループ）を表示）されている。前記隣接原稿幅判別用表示部６には、前記原稿幅表示部５に表示された前記各原稿サイズの右側（Ｙ側）に隣接原稿幅判別用ＬＥＤ（隣接原稿幅判別用表示部）６ａ〜６ｈがそれぞれ配置（すなわち、原稿サイズＡ５の右側には６ａ、原稿サイズＢ５の右側には６ｂ、以下省略）されている。
前記原稿サイズ指示部２ｅは、原稿給紙トレイＴＧ１に載置された原稿Ｇｉの幅に応じて移動する前記原稿ガイド１と一体的に移動する。また、前記原稿サイズ指示部２ｅは、前記原稿幅表示部５に表示された複数の定型サイズの原稿幅の中のどの原稿幅の位置に前記原稿ガイド１が移動しているかを指示する。前記原稿サイズ指示部２ｅが指示する原稿幅に対応する隣接原稿幅判別用ＬＥＤ６ａ〜６ｈが点灯するので、前記原稿幅表示部５に表示された原稿幅が隣接した他の原稿幅により前記原稿サイズ指示部２ｅだけでは前記隣接する原稿幅のどちらが指示されているか判別し難い場合（例えば、ＡＢ系のＡ４サイズとインチ系の8.5″サイズ）でも、点灯した隣接原稿幅判別用ＬＥＤを見ることにより、指示されている原稿幅を容易に判別することができる。
【００２５】
（実施例１の制御部の説明）
図４は実施例１の制御部のブロック線図である。
図４において、前記画像形成装置Ｕは、ＡＤＦコントローラＣ１、ＩＩＴコントローラＣ２、ＩＯＴコントローラＣ３およびＵＩコントローラＣ４を有している。前記コントローラＣ１〜Ｃ４は、外部との信号の入出力および入出力信号レベルの調節等を行うＩ／Ｏ（入出力インターフェース）、必要な処理を行うためのプログラムおよびデータ等が記憶されたＲＯＭ（リードオンリーメモリ）、必要なデータを一時的に記憶するためのＲＡＭ（ランダムアクセスメモリ）、前記ＲＯＭに記憶されたプログラムに応じた処理を行うＣＰＵ（中央演算処理装置）、ならびにクロック発振器等を有するコンピュータにより構成されており、前記ＲＯＭに記憶されたプログラムを実行することにより種々の機能を実現することができる。
【００２６】
（実施例１のブロック線図の説明）
（ＡＤＦコントローラＣ１に接続された信号出力要素）
前記ＡＤＦコントローラＣ１は、原稿ガイド位置センサＳＮ１〜ＳＮ３等の信号出力要素からの出力信号が入力されている。
前記原稿ガイド位置センサＳＮ１〜ＳＮ３は、いずれも前記遮光部３ｅを挟んで配置された発光素子および受光素子を有するセンサで、前記原稿ガイド１の前端ガイド部材２および後端ガイド部材３がスライドして、前記遮光部３ｅの凸部により遮光された状態でオフとなり、遮光されていない状態でオンとなる。
（ＵＩコントローラＣ４）
ＵＩコントローラＣ４は、ＵＩ（ユーザインタフェース）等の信号出力要素からの出力信号が入力される。
前記ＵＩは、表示部ＵＩ１、コピースタートキーＵＩ２、テンキーＵＩ３、…等を備えている。
【００２７】
（ＡＤＦコントローラＣ１に接続された被制御要素）
ＡＤＦコントローラＣ１は、原稿搬送モータ駆動回路Ｄ１、ＬＥＤ（発光部材）駆動回路Ｄ２、その他の制御要素に接続されており、それらの作動制御信号を出力している。
前記原稿搬送モータ駆動回路Ｄ１は、ＡＤＦコントローラＣ１の出力する制御信号に応じて作動し、原稿搬送モータＭ１を介して原稿搬送ロールおよび原稿さばきロール等を回転駆動する。また、前記原稿搬送モータ駆動回路Ｄ１は、原稿搬送モータＭ１を駆動することにより、クラッチＣＬを介して原稿ピックアップローラを駆動する。
前記ＬＥＤ駆動回路Ｄ２は、ＡＤＦコントローラＣ１の出力する制御信号に応じて作動し、前記原稿幅表示判別用パネルＰの隣接原稿幅判別用表示部６の隣接原稿幅判別用ＬＥＤ６ａ〜６ｈを点灯または消灯させる。
【００２８】
（前記ＡＤＦコントローラＣ１の機能）
前記ＡＤＦコントローラＣ１は、前記各信号出力要素からの出力信号に応じた処理を実行して、前記各制御要素に制御信号を出力する機能（制御手段）を有している。前記ＡＤＦコントローラＣ１の機能（制御手段）を次に説明する。
Ｃ１ａ：原稿搬送制御手段
原稿搬送制御手段Ｃ１ａは、前記原稿給紙トレイＴＧ１に載置された原稿Ｇｉを原稿ピックアップロール、原稿さばきロールおよび原稿搬送ロールにより前記ＡＤＦ内を搬送する。
Ｃ１ｂ：原稿サイズ判別手段
原稿サイズ判別手段Ｃ１ｂは、原稿サイズ判別用テーブルＣ１ｂ１を記憶しており、前記原稿ガイド位置センサＳＮ１〜ＳＮ３のオン、オフ信号に基づいて、前記原稿給紙トレイＴＧ１に載置された原稿Ｇｉのサイズを判別する。
図５は原稿サイズ判別手段が記憶している原稿サイズ判別用テーブルを示した図である。
図５に示す前記原稿サイズ判別用テーブルＣ１ｂ１には、前記原稿ガイド位置センサＳＮ１〜ＳＮ３のオン、オフ状態の組合せに応じて判別される前記原稿給紙トレイＴＧ１に載置された原稿Ｇｉのサイズが記憶されている。例えば、前記原稿ガイド位置センサＳＮ１がオンで、前記原稿ガイド位置センサＳＮ２，ＳＮ３がオフの場合（その他、各原稿サイズを示す前記原稿ガイド位置センサＳＮ１〜ＳＮ３のオン、オフ状況は、前記図５に示す原稿サイズ判別用テーブルを参照）は、Ａ５サイズの原稿Ｇｉが前記原稿給紙トレイＴＧ１に載置されていることになる。
【００２９】
Ｃ１ｃ：判別用表示部制御手段
判別用表示部制御手段Ｃ１ｃは、点灯ＬＥＤ判別手段Ｃ１ｃ１、ＬＥＤ点灯制御手段Ｃ１ｃ２およびＬＥＤ消灯制御手段Ｃ１ｃ３を有している。
Ｃ１ｃ１：点灯ＬＥＤ判別手段
点灯ＬＥＤ判別手段Ｃ１ｃ１は、前記原稿サイズ判別手段Ｃ１ｂの判別結果に基づいて、点灯させる隣接原稿幅判別用ＬＥＤ６ａ〜６ｈを判別する。すなわち、前記原稿サイズ判別手段Ｃ１ｂにより判別された原稿サイズがＡ５の場合、前記原稿幅表示部５に表示された原稿サイズＡ５の右側に配置された隣接原稿幅判別用ＬＥＤ６ａを選択する。
Ｃ１ｃ２：ＬＥＤ点灯制御手段
ＬＥＤ点灯制御手段Ｃ１ｃ２は、前記点灯ＬＥＤ判別手段Ｃ１ｃ１で選択された隣接原稿幅判別用ＬＥＤ６ａ〜６ｈを点灯する。
Ｃ１ｃ３：ＬＥＤ消灯制御手段
ＬＥＤ消灯制御手段Ｃ１ｃ３は、前記前端ガイド部材２および後端ガイド部材３がスライドされて、前記原稿ガイド位置センサＳＮ１〜ＳＮ３のオン、オフ状況が変化した場合に、点灯されている前記隣接原稿幅判別用ＬＥＤ６ａ〜６ｈを消灯する。
【００３０】
（実施例１の作用）
前記構成を備えた実施例１の画像形成装置Ｕでは、原稿給紙トレイＴＧ１に載置された原稿Ｇｉの前後（Ｘ軸方向）両端（幅方向両端部）は、前端ガイド部２ｃおよび後端ガイド部３ｃによりガイドされる。また、前記前端ガイド部２ｃおよび後端ガイド部３ｃは、前端ガイド部材２および後端ガイド部材３が前記原稿給紙トレイＴＧ１にスライド可能に支持されているため、各原稿サイズの原稿Ｇｉの前後両端をガイドすることができる。さらに、前記前端ガイド部材２の原稿サイズ指示部２ｅは、前記原稿幅表示部５に表示された各原稿サイズを指示するので、前記原稿給紙トレイＴＧ１に載置された原稿Ｇｉのサイズを作業者が判別することができる。
【００３１】
前記前端ガイド部材２および後端ガイド部材３をスライドさせた場合、遮光部３ｅ下端部の凸部および凹部により、原稿ガイド位置センサＳＮ１〜ＳＮ３のオン、オフ状況が変化する。前記原稿給紙トレイＴＧ１に載置された原稿Ｇｉは、前記原稿ガイド位置センサＳＮ１〜ＳＮ３のオン、オフ状況に応じて原稿サイズ判別用テーブルＣ１ｂ１を有する原稿サイズ判別手段Ｃ１ｂにより原稿サイズが判別（図５参照）される。前記原稿サイズ判別手段Ｃ１ｂの判別結果に基づいて、点灯ＬＥＤ判別手段Ｃ１ｃ１は、点灯させる隣接原稿幅判別用ＬＥＤ６ａ〜６ｈを判別する。前記点灯ＬＥＤ判別手段Ｃ１ｃ１の判別結果に基づいて、ＬＥＤ点灯制御手段Ｃ１ｃ２は、前記隣接原稿幅判別用ＬＥＤ６ａ〜６ｈを点灯する。ＬＥＤ消灯制御手段Ｃ１ｃ３は、前記原稿ガイド位置センサＳＮ１〜ＳＮ３のオン、オフ状況が変化した場合に、点灯している前記隣接原稿幅判別用ＬＥＤ６ａ〜６ｈを消灯する。
このように、実施例１のＡＤＦでは、前記原稿サイズ指示部２ｅが指示した原稿サイズの右側に配置された前記隣接原稿幅判別用ＬＥＤ６ａ〜６ｈが点灯するため、前記原稿幅表示部５の原稿幅の指示位置が隣接して表示された複数種の原稿幅の中のいずれであるか判別し難い場合（例えば、ＡＢ系のＡ４サイズとインチ系の8.5″サイズ）でも、作業者が前記原稿Ｇｉのサイズを容易且つ正確に判別することができる。
【実施例２】
【００３２】
図６は実施例２の原稿幅表示判別用パネルの拡大図である。
なお、この実施例２の説明において、前記実施例１の構成要素に対応する構成要素には同一の符号を付して、その詳細な説明を省略する。
この実施例２は、下記の点で前記実施例１と相違しているが、他の点では前記実施例１と同様に構成されている。
【００３３】
図６において、実施例２の原稿幅表示判別用パネルＰ′の原稿幅表示部５′には、ＡＢ系の定型サイズＡ５，Ｂ５，Ａ４，Ｂ４，Ａ３（第１グループ）と、インチ系の定型サイズ8.5″,11″および中国で使用されている定型サイズ８Ｋ１６Ｋ（第２グループ）と、が表示されており、前記ＡＢ系の定型サイズは原稿幅表示部５′の右側に表示されており、前記インチ系の定型サイズおよび中国で使用されている定型サイズは前記ＡＢ系の定型サイズよりも左側に表示されている。
前記原稿幅表示判別用パネルＰ′の前端部（Ｘ方向端部）には、ＡＢ系サイズ用ＬＥＤ（隣接原稿幅判別用表示部）６ａ′と、その他の定型サイズ用ＬＥＤ（隣接原稿幅判別用表示部）６ｂ′とを有する隣接原稿幅判別用表示部６′が配置されている。前記ＡＢ系サイズ用ＬＥＤ６ａ′は、前記隣接原稿幅判別用表示部６′の右側に配置されており、前記その他の定型サイズ用ＬＥＤ６ｂ′は、前記ＡＢ系サイズ用ＬＥＤ６ａ′よりも左側（−Ｙ側）に配置されている。
【００３４】
（実施例２のＡＤＦコントローラＣ１の機能）
図７は実施例２の制御部のブロック線図である。
図７において、実施例２のＡＤＦコントローラＣ１は、原稿搬送制御手段Ｃ１ａ、原稿サイズ判別手段Ｃ１ｂ、判別用表示部制御手段Ｃ１ｃ′を有している。
Ｃ１ｃ′：判別用表示部制御手段
判別用表示部制御手段Ｃ１ｃ′は、点灯発光部判別手段Ｃ１ｃ１′、ＬＥＤ点灯制御手段Ｃ１ｃ２′およびＬＥＤ消灯制御手段Ｃ１ｃ３′を有している。
Ｃ１ｃ１′：点灯ＬＥＤ判別手段
点灯ＬＥＤ判別手段Ｃ１ｃ１′は、前記原稿サイズ判別手段Ｃ１ｂの判別結果に基づいて、点灯させるＡＢ系サイズ用発光部６ａ′またはその他の定型サイズ用発光部６ｂ′を判別する。すなわち、前記原稿サイズ判別手段Ｃ１ｂにより判別された原稿サイズがＡＢ系サイズの原稿の場合、隣接原稿幅判別用表示部６′のＡＢ系サイズ用ＬＥＤ６ａ′を選択する。また、前記原稿サイズ判別手段Ｃ１ｂにより判別された原稿サイズがＡＢ系サイズ以外の原稿の場合、隣接原稿幅判別用表示部６′のその他の定型サイズ用ＬＥＤ６ｂ′を選択する。
【００３５】
Ｃ１ｃ２′：ＬＥＤ点灯制御手段
ＬＥＤ点灯制御手段Ｃ１ｃ２′は、前記点灯ＬＥＤ判別手段Ｃ１ｃ１′で選択されたＡＢ系サイズ用ＬＥＤ６ａ′またはその他の定型サイズ用ＬＥＤ６ｂ′を点灯する。
Ｃ１ｃ３′：ＬＥＤ消灯制御手段
ＬＥＤ消灯制御手段Ｃ１ｃ３′は、前記前端ガイド部材２および後端ガイド部材３がスライドされて、前記原稿ガイド位置センサＳＮ１〜ＳＮ３のオン、オフ状況が変化した場合に、点灯されている前記ＡＢ系サイズ用ＬＥＤ６ａ′またはその他の定型サイズ用ＬＥＤ６ｂ′を消灯する。
【００３６】
（実施例２の作用）
前記構成を備えた実施例２のＡＤＦでは、原稿給紙トレイＴＧ１に載置された原稿ＧｉのサイズがＡＢ系サイズであった場合、ＡＢ系サイズ用ＬＥＤ６ａ′を点灯する。また、前記原稿給紙トレイＴＧ１に載置された原稿ＧｉのサイズがＡＢ系サイズ以外であった場合、その他の定型サイズ用ＬＥＤ６ｂ′を点灯する。したがって、前記原稿幅表示部５′の原稿幅の指示位置が隣接して表示された複数種の原稿幅の中のいずれであるか判別し難い場合（例えば、ＡＢ系のＡ４サイズとインチ系の8.5″サイズ）でも、作業者が前記原稿Ｇｉのサイズを容易且つ正確に判別することができる。
その他、実施例２のＡＤＦは、前記実施例１のＡＤＦと同様の作用効果を奏する。
【実施例３】
【００３７】
図８は実施例３の原稿幅表示判別用パネルの拡大図である。
なお、この実施例３の説明において、前記実施例１の構成要素に対応する構成要素には同一の符号を付して、その詳細な説明を省略する。
この実施例３は、下記の点で前記実施例１と相違しているが、他の点では前記実施例１と同様に構成されている。
【００３８】
図８において、実施例３の原稿幅表示判別用パネルＰ″には、後側部分（−Ｘ側部分）に原稿幅表示部５″が設けられ、前側部分（Ｘ側部分）に隣接原稿判別用表示部６″が設けられている。前記原稿幅表示部５″には、ＡＢ系の定型サイズＡ５，Ｂ５，Ａ４，Ｂ４，Ａ３（第１グループ）が緑色で印刷（表示）され、インチ系の定型サイズ8.5″,11″および中国で使用されている定型サイズ８Ｋ１６Ｋ（第２グループ）が赤色で印刷（表示）されている。
前記原稿幅判別用パネルＰ″の前端部（Ｘ方向端部）には、赤色に点灯する赤色ＬＥＤ（隣接原稿幅判別用表示部）６ａ″が配置されている。
【００３９】
（実施例３のＡＤＦコントローラＣ１の機能）
図９は実施例３の制御部のブロック線図である。
図９において、実施例３のＡＤＦコントローラＣ１は、原稿搬送制御手段Ｃ１ａ、原稿サイズ判別手段Ｃ１ｂ、判別用表示部制御手段Ｃ１ｃ″を有している。
Ｃ１ｃ″：判別用表示部制御手段
判別用表示部制御手段Ｃ１ｃ″は、ＬＥＤ点灯制御手段Ｃ１ｃ２″とＬＥＤ消灯制御手段Ｃ１ｃ３″とを有している。
Ｃ１ｃ２″：ＬＥＤ点灯制御手段
ＬＥＤ点灯制御手段Ｃ１ｃ２″は、原稿サイズ判別手段Ｃ１ｂの判別結果がＡＢ系の定型サイズ以外と判別された場合（すなわち、インチ系の定型サイズまたは中国で使用されている定型サイズと判別された場合）、赤色ＬＥＤ６ａ″を点灯する。
Ｃ１ｃ３″：ＬＥＤ点灯制御手段
ＬＥＤ消灯制御手段Ｃ１ｃ３″は、原稿サイズ判別手段Ｃ１ｂの判別結果がＡＢ系の定型サイズと判別された場合、赤色ＬＥＤ６ａ″を消灯する。
【００４０】
（実施例３の作用）
前記構成を備えた実施例３のＡＤＦでは、原稿給紙トレイＴＧ１に載置された原稿ＧｉのサイズがＡＢ系サイズ以外であった場合、赤色ＬＥＤ６ａ″を点灯させる。また、原稿幅表示部５″に表示された原稿サイズは、ＡＢ系の原稿サイズが緑色に印刷（表示）されており、インチ系の原稿サイズおよび中国で使用されている定型サイズは、赤色に印刷（表示）されている。
したがって、前記原稿幅表示部５″の原稿幅の指示位置が隣接して表示された複数種の原稿幅の中のいずれであるか判別し難い場合（例えば、ＡＢ系のＡ４サイズとインチ系の8.5″サイズ）でも、前記赤色ＬＥＤ６ａ″が消灯していればＡＢ系の原稿サイズを指示しており、前記赤色ＬＥＤ６ａ″が点灯していればインチ系または中国の定型サイズを指示していることがわかる。このため、作業者は、前記原稿給紙トレイＴＧ１に載置された原稿Ｇｉのサイズを容易且つ正確に判別することができる。
その他、実施例３のＡＤＦは、前記実施例１のＡＤＦと同様の作用効果を奏する。
【００４１】
（変更例）
以上、本発明の実施例を詳述したが、本発明は、前記各実施例に限定されるものではなく、特許請求の範囲に記載された本発明の要旨の範囲内で、種々の変更を行うことが可能である。本発明の変更実施例（Ｈ01）〜（Ｈ04）を下記に例示する。
（Ｈ01）前記実施例３において、原稿サイズ表示部（６″）に表示されているＡＢ系の原稿サイズを緑色で表示し、インチ系または中国の定型サイズを赤色で表示して、表示部（６″）を赤色に発光させていたがこれに限定されず、前記原稿サイズを種々の色（例えば青色や黄色等）で色分けして表示し、一方の色を表示部で表示することも可能である。
（Ｈ02）前記各実施例において、本発明を画像形成装置に適用させたがこれに限定されず、ファクシミリ等の自動原稿搬送機構を設けた種々の機器に適用させることが可能である。
（Ｈ03）前記各実施例において、原稿ガイド位置センサ（ＳＮ１〜ＳＮ３）は発光素子および受光素子により構成されたセンサを使用したがこれに限定されず、接触型センサや反射型センサ等の種々のセンサを含むガイド位置検出器を使用することが可能である。
【００４２】
（Ｈ04）前記各実施例において、原稿サイズ表示部（５,５′,５″）にＡＢ系のＡ５，Ｂ５，Ａ４，Ｂ４，Ａ３サイズと、インチ系の8.5″,11″サイズと、中国の定型サイズ８Ｋ１６Ｋとを表示したがこれに限定されず、インチ系の5.5″,10.5″サイズやハガキサイズ等の種々の原稿サイズを表示することが可能である。また、ＡＤＦに支持された原稿ガイド位置センサの数を増やすことにより前記原稿サイズ表示部（５,５′,５″）に表示する定型サイズの原稿幅の数や種類を増やすことも可能である。前記定型サイズの原稿幅の数や種類を増やした場合、前記原稿幅を第１〜第ｎグループに分類して、各グループ毎に原稿幅を区別して前記原稿サイズ表示部（５,５′,５″）に表示し且つｎ個のＬＥＤを隣接原稿幅判別用表示部（６,６′,６″）に配置することにより、隣接して表示されたｎ種の原稿幅の中のいずれかを容易且つ正確に作業者が判別することができる。
【図面の簡単な説明】
【００４３】
【図１】図１は本発明の画像形成装置の説明図であり、図１Ａは実施例１の自動原稿搬送装置を備えた画像形成装置の斜視図、図１Ｂは実施例１の原稿サイズ表示部の拡大図である。
【図２】図２は本発明の原稿ガイドの斜視図である。
【図３】図３は本発明の原稿ガイドの説明図であり、図３Ａは原稿ガイドの側面断図、図３Ｂは原稿ガイドを上方から見た平面図である。
【図４】図４は実施例１の制御部のブロック線図である。
【図５】図５は原稿サイズ判別手段が記憶している原稿サイズ判別用テーブルを示した図である。
【図６】図６は実施例２の原稿サイズ表示部の拡大図である。
【図７】図７は実施例２の制御部のブロック線図である。
【図８】図８は実施例３の原稿サイズ表示部の拡大図である。
【図９】図９は実施例３の制御部のブロック線図である。
【符号の説明】
【００４４】
１…原稿ガイド、
２ｅ…原稿ガイド位置指示部材、
５,５′,５″…原稿幅表示部、
６,６′,６″…隣接原稿幅判別用表示部、
ＡＤＦ…自動原稿搬送装置、
Ｃ１ｃ,Ｃ１ｃ′,Ｃ１ｃ″…判別用表示部制御手段、
Ｇｉ…原稿、
ＳＮ１〜ＳＮ３…原稿ガイド位置センサ、
ＴＧ１…原稿載置台。
【図１】
0004626442.tif 000002
【図２】
0004626442.tif 000003
【図３】
0004626442.tif 000004
【図４】
0004626442.tif 000005
【図５】
0004626442.tif 000006
【図６】
0004626442.tif 000007
【図７】
0004626442.tif 000008
【図８】
0004626442.tif 000009
【図９】
0004626442.tif 000010